(57)【特許請求の範囲】
【請求項１】
長椅子を構成する背もたれであって、座部の後端縁側となる水平部に、左右方向に互いに離間して略垂直に立設される複数の背板を具備し、
各背板は、
前記座部の座面に対して垂直となって前記水平部に立設される下半部板と、
該下半部板の上端に連結され、該連結部分より後方向に傾斜する上半部板と、
で構成され、
各上半部板及び下半部板は、木目に沿う縦方向を長手方向として板目製材された板材よりなり、前記下半部板の上端と前記上半部板の下端との前記連結部分はフィンガージョイントによって所定角度で連結され、中途部が略く字状に屈曲した背板を構成することを特徴とする長椅子の構造。
【請求項２】
長椅子を構成する背もたれであって、座部の後端縁側となる水平部に、左右方向に互いに離間して略垂直に立設される複数の背板を具備し、
各背板は、
前記座部の座面に対して垂直となって前記水平部に立設される下半部板と、
該下半部板の上端に連結され、該連結部分より後方向に傾斜する上半部板と、
で構成され、
各上半部板及び下半部板は、木目に沿う縦方向を長手方向として板目製材された板材よりなり、前記下半部板の上端と前記上半部板の下端との前記連結部分はフィンガージョイントによって所定角度で連結され、中途部が略く字状に屈曲した背板を構成するとともに、
該複数の背板の前記各上半部板の上端が笠木部材にて連結されて前記背もたれを構成することを特徴とする長椅子の構造。
【請求項３】
長椅子を構成する背もたれであって、座部の後端縁側となる水平部に、左右方向に互いに離間して略垂直に立設される複数の背板を具備し、
各背板は、
前記座部の座面に対して垂直となって前記水平部に立設される下半部板と、
該下半部板の上端に連結され、該連結部分より後方向に傾斜する上半部板と、
で構成され、
各上半部板及び下半部板は、木目に沿う縦方向を長手方向として板目製材された板材よりなり、前記下半部板の上端と前記上半部板の下端との前記連結部分はフィンガージョイントによって所定角度で連結され、中途部が略く字状に屈曲した背板を構成するとともに、
前記上半部板の上端部に後面板が下向きに連結され、該後面板と前記上半部板とで逆Ｖ字状に形成され、各後面板のそれぞれの下端が背貫部材にて連結されて前記背もたれを構成することを特徴とする長椅子の構造。
【請求項４】
前記上半部板と後面板との連結部分は、互いに対向し当接する接合面に蟻溝と蟻ほぞとの組み合わせによる継手構造が形成され連結されることを特徴とする請求項３に記載の長椅子の構造。
【請求項５】
前記上半部板と下半部板とは、連続する一枚の板材を２分割し、それぞれの分割端面同士をフィンガージョイント加工にて連結し前記背板を成形していることを特徴とする請求項１，２，３，４のいずれか１つに記載の長椅子の構造。
【発明の詳細な説明】
【技術分野】
【０００１】
本発明は、背もたれを備える長椅子の構造に関するものである。
【背景技術】
【０００２】
長椅子、或いはソファなどの構造としては、例えば下記特許文献１に示すようなものがある。この特許文献１の椅子では、座板より立設される背もたれの構造として、複数の背板を具備し、これら背板が左右幅方向に所定間隔となって配設されている。そして、座板の座面や背もたれにはクッションが設けられている。
【先行技術文献】
【特許文献】
【０００３】
【特許文献１】実用新案登録第３０９７６９５号公報
【発明の概要】
【発明が解決しようとする課題】
【０００４】
しかしながら、上述した従来の椅子の構造では、特許文献１の椅子の場合、背もたれを構成する各背板は、略真直な板材で構成され、座板の後縁部分に立設され、それぞれの上端が笠木にて連結される構成とされている。すなわち、着座状態で背中に触れる背もたれは高さ方向に一様に支えるのみである。そして、座り心地を変えるために背もたれを傾斜させる場合には、背板の下端から後方に傾斜、すなわち真直な背板を座板後縁部分に斜めに立設し構成しており、しかし、このように背板を斜めに立設させると、座面との角度が増すこととなり、この角度が必ずしも座り心地の向上になるとは限らないという欠点があり、この背板を覆うクッションを追加したり、クッションの弾力や大きさを変えるなど対処していた。
【０００５】
また、上記のような背板を、例えばその形状を、中途が湾曲するように曲げ加工を施し、所望の角度を有する部材とすることも考えられる。例えば、真直な板目製材された板材を湾曲形成させるには、その板材を蒸し、所望の形状に曲げ、型に入れて、その後乾燥させることで成形する方法もあるが、大掛かりな装置や施設が必要となるとともに製作に時間を要するという欠点を有する。また、この方法では、複数の背板を全て同じ湾曲状態で成形して揃えることの可能な高精度な加工方法とは言えず、すなわち複数の板材の全てが同じ板目であることが無いことから上記曲げ加工では均一な仕上状態とならず、多数の背板を横方向に並べて立設させ長椅子を構成することが難しい。さらに、曲げ加工で得られた背板は、経時変化によって、湾曲成形した形状が元の形状である真直な状態へと戻ろうとすることも考えられ、使い続ける場合に変形を起こし、例えば笠木との連結部分など他の部材との連結部分に割れや損傷などを起こす虞もある。
【０００６】
また、上記した長椅子、或いは同様の構成のソファーでは、一般的に背面側を室内壁面に沿わせてリビングルームなどの居室内に配置されることが多く、背面は目に触れないような構成とされ、このような使用形態を前提として積極的な意匠性など外観全体のデザインが加味されていない欠点を有するものがある。
さらに、長椅子やソファーの構造として、全体を生地で覆う所謂張りぐるみ構造があるが、このような長椅子やソファーでは、生地（張り地）で覆われた外観のデザイン性は良好となるものの、その覆われた張り地の内部構造は容易に確認ができず、一般的には合板などが用いられた構造体となることで、強度などを十分に確保していない場合もあり、安心して使用できないものもある。
【０００７】
そこで本発明は、上記問題点を解消するために、着座時においての座り心地の良好な背もたれを備えるとともに、この背もたれを簡素な構成で高精度に製作可能とし、且つ背面を含む周囲からの全体的な見た目に良好な意匠性に優れる長椅子の構造を提供することを目的としている。
【課題を解決するための手段】
【０００８】
次に、上記の課題を解決するための手段を、実施の形態に対応する図面を参照して説明する。
この発明の請求項１記載の長椅子の構造は、長椅子１を構成する背もたれ１０であって、座部５の後端縁１３側となる水平部１４に、左右方向に互いに離間して略垂直に立設される複数の背板１５を具備し、
各背板１５は、
前記座部５の座面１２に対して垂直となって前記水平部１４に立設される下半部板２１と、
該下半部板２１の上端に連結され、該連結部分２３より後方向に傾斜する上半部板２２と、
で構成され、
各上半部板２２及び下半部板２１は、木目に沿う縦方向を長手方向として板目製材された板材２４よりなり、前記下半部板２１の上端と前記上半部板２２の下端との前記連結部分２３はフィンガージョイント（２５）によって所定角度で連結され、中途部１５ａが略く字状に屈曲した背板１５を構成することを特徴とする。
【０００９】
この長椅子１の構造では、背もたれ１０を構成する背板１５が、下半部板２１と上半部板２２とで構成され、これら板はそれぞれ板目製材の板材２４とされて互いが所定角度で連結された構造となる。連結部分２３は、フィンガージョイント（２５）によって強固に連結され、中途部１５ａが略く字状に屈曲した背板１５となる。この背板１５を立設し背もたれ１０を構成させることで、屈曲部分によってクッション３のずれなどを防ぎ、着座時における座り心地の良好な椅子となる。また、長椅子１としての外観が、天然無垢材のフレーム構造体とされ、張り地などで覆い隠すことなく、背もたれ部分を含めデザイン性の高いものとなる。
【００１０】
本発明の請求項２記載の長椅子の構造は、長椅子１を構成する背もたれ１０であって、座部５の後端縁１３側となる水平部１４に、左右方向に互いに離間して略垂直に立設される複数の背板１５を具備し、
各背板１５は、
前記座部５の座面１２に対して垂直となって前記水平部１４に立設される下半部板２１と、
該下半部板２１の上端に連結され、該連結部分２３より後方向に傾斜する上半部板２２と、
で構成され、
各上半部板２２及び下半部板２１は、木目に沿う縦方向を長手方向として板目製材された板材２４よりなり、前記下半部板２１の上端と前記上半部板２２の下端との前記連結部分２３はフィンガージョイント（２５）によって所定角度で連結され、中途部１５ａが略く字状に屈曲した背板１５を構成するとともに、
該複数の背板１５の前記各上半部板２２の上端が笠木部材１７にて連結されて前記背もたれ１０を構成することを特徴とする。
【００１１】
この長椅子１の構造では、背もたれ１０を構成する背板１５が、下半部板２１と上半部板２２とで構成され、これら板はそれぞれ板目製材の板材２４とされて互いが所定角度で連結された構造となる。また、各背板１５の上端が笠木部材１７にて連結され、背もたれ１０を構成する。上半部板２２と下半部板２１との連結部分２３は、フィンガージョイント（２５）によって強固に連結され、中途部１５ａが略く字状に屈曲した背板１５となる。この背板１５を立設し背もたれ１０を構成させることで、屈曲部分によってクッション３のずれなどを防ぎ、着座時における座り心地の良好な椅子となる。また、長椅子１としての背面を含む外観が、デザイン性の高いものとなり、張り地で覆い隠す、或いは室内壁面に沿わせて背もたれ裏面を隠すなどせずに、見栄えの良好なフレーム構造を備えた長椅子１となる。
【００１２】
本発明の請求項３記載の長椅子の構造は、長椅子１を構成する背もたれ１０であって、座部５の後端縁１３側となる水平部１４に、左右方向に互いに離間して略垂直に立設される複数の背板１５を具備し、
各背板１５は、
前記座部５の座面１２に対して垂直となって前記水平部１４に立設される下半部板２１と、
該下半部板２１の上端に連結され、該連結部分２３より後方向に傾斜する上半部板２２と、
で構成され、
各上半部板２２及び下半部板２１は、木目に沿う縦方向を長手方向として板目製材された板材２４よりなり、前記下半部板２１の上端と前記上半部板２２の下端との前記連結部分２３はフィンガージョイント（２５）によって所定角度で連結され、中途部１５ａが略く字状に屈曲した背板１５を構成するとともに、
前記上半部板２２の上端部に後面板３４が下向きに連結され、該後面板３４と前記上半部板２２とで逆Ｖ字状に形成され、各後面板３４のそれぞれの下端が背貫部材３２にて連結されて前記背もたれ１０を構成することを特徴とする。
【００１３】
この長椅子１の構造では、背もたれ１０を構成する背板１５が、下半部板２１と上半部板２２とで構成され、これら板はそれぞれ板目製材の板材２４とされて互いが所定角度で連結された構造となる。また、各背板１５の上端には、後面板３４が下向きに連結され逆Ｖ字状に形成される。そして、後面板３４の下端が背貫部材３２にて連結され、背もたれ１０を構成する。上半部板２２と下半部板２１との連結部分２３は、フィンガージョイント（２５）によって強固に連結され、中途部１５ａが略く字状に屈曲した背板１５となる。この背板１５を立設し背もたれ１０を構成させることで、屈曲部分によってクッション３のずれなどを防ぎ、着座時における座り心地の良好な椅子となる。また、長椅子１としての背面を含む外観が、デザイン性の高いものとなる。
【００１４】
本発明の請求項４記載の長椅子の構造は、請求項３に記載の長椅子１の構造において、
前記上半部板２２と後面板３４との連結部分２３は、互いに対向し当接する接合面に蟻溝３１と蟻ほぞ２９との組み合わせによる継手構造が形成され連結されることを特徴とする。
【００１５】
この長椅子１の構造では、背板１５の上半部板２２と後面板３４との連結部分２３が、蟻溝３１と蟻ほぞ２９にて構成され、これらの継手構造により釘などを用いずに互いが強固に連結される。
【００１６】
本発明の請求項５記載の長椅子の構造では、請求項１，２，３，４のいずれか１つに記載の長椅子１の構造のおいて、
前記上半部板２２と下半部板２１とは、連続する一枚の板材２４を２分割し、それぞれの分割端面２６，２７同士をフィンガージョイント加工にて連結し前記背板１５を成形していることを特徴とする。
【００１７】
この長椅子１の構造では、連続する一枚の板材２４を背板１５として用い、これを２分割し、再びフィンガージョイント（２５）にて連結させる。所定角度に連結された背板１５は未加工の一枚板を用いたような木目を備えた外観となり、長椅子１としての見栄え、特に背面からの見栄えが向上する。
【発明の効果】
【００１８】
本発明に係る請求項１記載の長椅子の構造によれば、背もたれを構成する背板の構成を、木目に沿う縦方向を長手方向として板目製材された板材よりなる上半部板と下半部板とを用い、これら上半部板と下半部板とをフィンガージョイントで所定角度で連結したので、各背板は木目が栄えながら中途が略く字状に屈曲して整然と並び、長椅子として背面からの見栄えが向上するという効果がある。また、真直な板材を連結した構造であることで、従来のような安定しない曲げなどの成形方法と異なり、略一定な品質の背板を得られ、精度良く製作を可能とし、経時的な変化なども無い長椅子を得ることが可能となる。さらに、この長椅子によれば、着座時において、各背板の屈曲部分が背中から腰部分に当接することとなって、着座姿勢での背中の湾曲に沿い、安定した着座状態を得ることができ、また、木質素材のフレーム状の背板が縦に配置されて剛性のある支持構造を保ちつつ、木材自体の撓りを備え快適な座り心地を得ることができる。また、従来のような張り地で内部構造を覆い隠す張りぐるみではなく、構造体部分となるフレーム状部分として無垢材で組み立てて構成され、且つその構造部分を認識できるような構成であることで、合板などで構成される従来品に比べて強度を備えていることを容易に目視ができ、無垢材による構成から高級感を得ることができ、背面のデザインされた長椅子を得ることができる。
【００１９】
本発明に係る請求項２記載の長椅子の構造によれば、背もたれを構成する背板の構成を、木目に沿う縦方向を長手方向として板目製材された板材よりなる上半部板と下半部板とを用い、これら上半部板と下半部板とをフィンガージョイントで所定角度で連結したので、各背板は木目が栄えながら中途が略く字状に屈曲して整然と並び、長椅子として背面からの見栄えが向上するという効果がある。また、各背板を笠木部材にて連結した構成としたことで、各背板と笠木部材とで剛性を有する構造体となり、縦方向の各背板の撓りを笠木部材を介して互いを連結して適度に支え、座り心地を向上させている。また、真直な板材を連結した構造であることで、従来のような安定しない曲げなどの成形方法と異なり、略一定な品質の背板を得られ、精度良く製作を可能とし、経時的な変形なども無い長椅子を得ることが可能となる。さらに、この長椅子によれば、着座時において、各背板の屈曲部分が背中から腰部分に当接することとなって、着座姿勢での背中の湾曲に沿い、安定した着座状態を得ることができる。
【００２０】
本発明に係る請求項３記載の長椅子の構造によれば、背もたれを構成する背板の構成を、木目に沿う縦方向を長手方向として板目製材された板材よりなる上半部板と下半部板とを用い、これら上半部板と下半部板とをフィンガージョイントで所定角度で連結したので、各背板は木目が栄えながら中途が略く字状に屈曲して整然と並び、長椅子として背面からの見栄えが向上するという効果がある。また、各背板には後面板が連結され、さらにこれら後面板は背貫部材にて連結した構成としたことで、各背板が背貫部材に支えられて剛性を有する構造体となるとともに、後面板を介する縦方向の各背板が撓り適度に着座状態の背中を支え、座り心地を向上させている。また、真直な板材を連結した構造であることで、従来のような安定しない曲げなどの成形方法と異なり、略一定な品質の背板を得られ、精度良く製作を可能とし、経時的な変形なども無い長椅子を得ることが可能となる。さらに、この長椅子によれば、着座時において、各背板の屈曲部分が背中から腰部分に当接することとなって、着座姿勢での背中の湾曲に沿い、安定した着座状態を得ることができる。
【００２１】
本発明に係る請求項４記載の長椅子の構造によれば、背板を構成する上半部板と下半部板とをフィンガージョイントで連結するとともに、上半部板と後面板との接合面に継手構造としての蟻溝と蟻ほぞをそれぞれ形成したので、各部が確実に且つ強固に連結されて、その形状及び角度を維持し、背もたれを構成することが可能となる。
【００２２】
本発明に係る請求項５記載の長椅子の構造によれば、背板を構成する上半部板と下半部板とを、一枚板より得る構成としたので、フィンガージョイントによる連結部分で木目が大きく変化せず、木質と木目、色調等に連続性を持った意匠性に優れた背面を備える長椅子を得ることが可能となる。
【図面の簡単な説明】
【００２３】
【図１】本発明による長椅子の構造の第一の実施形態を示す斜視図である。
【図２】同長椅子の一部省略正面図である。
【図３】同長椅子の側断面図である。
【図４】同長椅子の一部拡大斜視図である。
【図５】背板の連結部分の組立手順を示す概略側面図である。
【図６】本発明による長椅子の構造の第二の実施形態を示す斜視図である。
【図７】同長椅子の一部省略正面図である。
【図８】同長椅子の側断面図である。
【図９】同長椅子の一部拡大斜視図である。
【図１０】背板と後面板との連結部分における組立手順を示す概略斜視図である。
【発明を実施するための形態】
【００２４】
図１は本発明による長椅子の構造の第一の実施形態を示す斜視図、図２は同長椅子の一部省略正面図、図３は同長椅子の側断面図、図４は同長椅子の一部拡大斜視図である。
本発明の第一実施形態の長椅子１は、図１に示すように、椅子本体２と、クッション３とからなる。椅子本体２は、木材を素材とされ、座枠４を具備する座部５、座部５の左右端部に設けられる前後一対の脚部８、脚部８と一体に形成される肘掛け９、及び背もたれ１０で大略構成される。なお、図２，３に示すように、長椅子１としての幅長に応じて、略中央下面にセンター脚３３を設けることとしても良い。
【００２５】
本実施の形態の長椅子１は、前脚部６と後脚部７と肘掛け９とが門形に枠組構成されて左右一対となり、これら左右の脚部８間に、座枠４が矩形状に枠組みされている。座枠４には、天板１１或いはウェービングテープなどが組み込まれ、座面１２を構成している。なお、この実施形態では、座面１２が後方へ傾斜して構成され、その傾斜角度はおよそ３°とされる。また、背もたれ１０は、座部５の後端縁１３側となる後座枠を兼ねる水平部１４に立設される複数の背板１５と、後脚部７の上方に延設される支持柱部１６と、左右の支持柱部１６に掛け渡される笠木部材１７とで構成される。なお、笠木部材１７は、後述する複数の背板１５を連結する下部笠木１８とこれに平行となって左右支持柱間に架設される上部笠木１９とで構成され、これら上部笠木１９と下部笠木１８とは、所定の間隔を隔てて配置されるとともに、略中央部分が連結柱２０にて接続されている。
【００２６】
背板１５は、下半部板２１と上半部板２２とで構成されており、これら上半部板２２と下半部板２１とがフィンガージョイントで連結され、中途部１５ａが略く字状に屈曲した形状となっている。本実施の形態では、背板１５の各部板材２４は、ウォールナットやミズナラ、ハードメイプル、バーチなどの木材で、木目に沿う縦方向を長手方向として板目製材された板材２４を素材としている。なお、この板材２４の素材としては、好ましくは、連続する一枚の板材２４を中途部１５ａ分で切断して２分割状態とした（図５（ａ）参照）のち、互いの切断面である分割端面２６，２７同士をフィンガージョイント部２５として切削加工を行い、接着剤などの固定手段にて互いを連結し、一体化される。
【００２７】
上記上半部板２２と下半部板２１との連結部分２３について詳述すると、図５に示すように、フィンガージョイント加工では、２分割された後の上半部となる一方の板材２４Ａと下半部となる他方の板材２４Ｂに対し、フィンガージョイントビットを備えた成形用ルータ（図示せず）を用いることができる。下半部板２１はこのルーターの軸線に直交させ、上半部板２２は所定の角度に傾けてそれぞれの分割端面２６，２７に切削加工が行われる（図５（ｂ）参照）。切削方向は各板部の板面に平行な方向で複数のギザギザが形成される水平形フィンガージョイントとされる。そして両切削成形部分を組み合わせて連結させた状態で、下半部板２１に対し上半部板２２が１６３°の傾きとされる（図５（ｃ）参照）。また、好ましくは、下半部板２１に対し上半部板２２がやや長尺となるよう形成される。
【００２８】
上半部板２２と下半部板２１とが所定角度で連結された複数の背板１５は、座部５の後端縁１３側となる水平部１４に、左右方向に互いに所定間隔をあけて離間し、座面１２に対して垂直となって立設される。水平部１４と各背板１５の下半部板２１とは、図４に示すように、ダボ３５及び接着剤による連結とされ、水平部１４に垂直とされる。この立設状態での各上半部板２２は、後方向へ傾斜する。また、各背板１５のそれぞれの上半部板２２の上端は、図４に示すように、下部笠木１８にダボ３６及び接着剤にて結合される。なお、各脚部８、肘掛け９、座枠４の各部についても、無垢材を用いて成形され、図示しないが互いをダボや継手構造にて連結し、ビスや釘などの締結固定部材を使用する箇所を少なくして組み立てられる。また、各部や背もたれ１０には、十分に面取りが行われるとともに、各部の組み付け後には、クリアオイルやウレタンクリアなどで表面仕上げを行い、木の風合いを活かした長椅子１とする。
【００２９】
したがってこのような構成により、この実施形態の長椅子１は、背面側から見ると、左右の後脚部７及びこれと一体の支持柱部１６と、これら支持柱部１６間の笠木部材１７とで門形に枠組構成されるとともに、複数の各背板１５が笠木部材１７から吊下状態に配置され、且つ各背板１５の下部が前方に迫り出し、しかも各背板１５は板目製材の板材２４で構成されて木目が栄えながら中途が略く字状に屈曲して整然と並び、長椅子１として背面からの見栄えが向上するものである。特に一枚の板材２４を連結して得られる背板１５であり、連結部分２３で木目が大きく変化せず、木質と木目、色調等に連続性を持った意匠性に優れた背面となり、従来のような張り地で覆い隠すことをせずに、背面からも見栄えの良い長椅子１を得られるものである。また、このような構成の背板１５によれば、真直な板材２４を連結した構造であることで、従来のような安定しない曲げなどの成形方法と異なり、略一定な品質の背板１５を得られ、精度良く製作を可能とし、経時的な変化なども無い長椅子１を得られるものである。
【００３０】
そして、この長椅子１としては、着座時において、各背板１５の屈曲部分が背中から腰部分に当接することとなって、背板１５の下半部板２１における垂直面と、後方へ斜めに位置する上半部板２２とで着座姿勢での背中の湾曲に沿い、安定した着座状態となる。また、木質素材よりなりフレーム状に背板１５が配置されて剛性のある支持構造を保ちつつ、木材自体の撓りを備え快適な座り心地を得ることができる。さらに、この長椅子１には、図示のように座部５や背もたれ１０に沿わせてクッション３を配置することで、座り心地を調整できるとともに、屈曲構造の背板１５によりクッション３の大きな潰れなども防げ、クッション３のズレなどもを防ぐことも可能となる。
【００３１】
図６は本発明による長椅子の構造の第二の実施形態を示す斜視図、図７は同長椅子の一部省略正面図、図８は同長椅子の側断面図、図９は同長椅子の一部拡大斜視図である。
次に、本発明の第二実施形態の長椅子１について説明する。なお、各図において上述した第一実施形態と同一又は同等の箇所には同一の符号を付し、重複する説明は省略する。この長椅子１は、図６に示すように、椅子本体２として、座部５、前後一対の脚部８、肘掛け９、及び背もたれ１０で大略構成され、前脚部６と後脚部７と肘掛け９とが門形に枠組構成されて左右一対とされる。なお、この実施形態では、座面１２は床面と平行な水平面とされる。また、本実施形態の背もたれ１０は、水平部１４に立設される複数の背板１５と、左右の後脚部７、及び各後脚部７上端に掛け渡される背貫部材３２とで構成される。
【００３２】
背板１５は、下半部板２１と上半部板２２とで構成されて、フィンガージョイントで連結され、中途部１５ａが略く字状に屈曲した形状となっている。この実施形態の背板１５も上記第１実施形態の背板１５と同様に、木目に沿う縦方向を長手方向として板目製材された板材２４を素材とし、好ましくは、連続する一枚の板材２４を用いてフィンガージョイントにより連結し一体化される。そして、上記同様に下半部板２１に対し上半部板２２が１６３°の傾きとされ、且つ下半部板２１に対し上半部板２２がやや長尺となるよう形成される。
【００３３】
上半部板２２と下半部板２１とが所定角度で連結された本実施形態の各背板１５には、後面板３４が連結される。後面板３４は、上半部板２２の上端部に下向きとなって連結され、その連結構造としては、上半部板２２の接合面としての上端部背面２８に凸部２９が形成され、後面板３４の接合面としての上端部前面３０に凹部３１が形成されており、これら凸部２９と凹部３１とが互いに嵌合する継手構造となって連結される。本実施形態では、図１０（ａ）に示すように、上半部板２２の背面２８を垂直面に形成して蟻ほぞ２９が突設されており、後面板３４の垂直な前面３０には蟻溝３１が凹設され、互いをスライドさせて連結する構成とされ強固に固定される。これら上半部板２２と後面板３４とは、連結された状態で逆Ｖ字状にとなり（図１０（ｂ）参照）、すなわち、上半部板２２が傾斜し、後面板３４が略垂直となる。
【００３４】
上半部板２２と下半部板２１とが所定角度で連結された複数の背板１５は、水平部１４に、左右方向に互いに所定間隔をあけて離間し立設される。水平部１４と各背板１５の下半部板２１とは、ダボ３５及び接着剤による連結とされ、水平部１４に垂直とされる。そして、各上半部板２２は下半部板２１に対して後方向に傾斜し、各後面板３４のそれぞれの下端は、図９に示すように背貫部材３２の上面にダボ３６及び接着剤にて結合され、背貫部材３２に後面板３４が略垂直に立設されるようになる。なお、第１実施形態と同様に各脚部８、肘掛け９、座枠４等の各部についても、無垢材を用いて成形され、図示しないが互いをダボや継手構造にて連結して組み立てられる。また、各部は、十分に面取りが行われるとともに、組み付け後には、クリアオイルやウレタンクリアなどで表面仕上げを行い、木の風合いを活かした長椅子１とされる。
【００３５】
したがってこのような構成により、この実施形態の長椅子１は、背面側から見ると、左右の後脚部７と背貫部材３２とで門形に枠組構成されるとともに、複数の各背板１５が水平部１４から立設配置され、各背板１５の上端が背貫部材３２から上方に突出して並列し、且つ各背板１５の下部が前方に迫り出し、背貫部材３２によって重心を低くして見た目の安定感を与え、しかも各背板１５は板目製材の板材２４で構成されて木目が栄えながら中途が略く字状に屈曲して整然と並び、長椅子１として背面からの見栄えが向上するものである。特に一枚の板材２４を連結して得られる背板１５であり、連結部分２３で木目が大きく変化せず、木質と木目、色調等に連続性を持った意匠性に優れた背面となり、従来のような張り地で覆い隠すことをせずに、背面からも見栄えの良い長椅子１を得られるものである。また、このような構成の背板１５によれば、安定した形状素材である真直な板材２４を連結した構造であることで、従来のような安定しない曲げなどの成形方法と異なり、略一定な品質の背板１５を得られ、精度良く製作を可能とし、経時的な変化なども無い長椅子１を得られるものである。
【００３６】
そして、この長椅子１では、着座時において、各背板１５の屈曲部分が背中から腰部分に当接することとなって、背板１５の下半部板２１における垂直面と、後方へ斜めに位置する上半部板２２とで着座姿勢での背中の湾曲に沿い、安定した着座状態となる。また、各背板１５は、後面板３４を介して背貫部材３２に支持される構造とされることから、木質素材自体の撓みが生じるように構成でき、座り心地に変化を得られるものである。さらに、この長椅子１には、図示のように座部５や背もたれ１０に沿わせてクッション３を配置することで、座り心地を調整できるとともに、屈曲構造の背板１５によりクッション３の大きな潰れなども防げ、着座時に腰が沈み込んでしまうこともなく、また、クッション３のズレを防ぐことも可能となる。
【００３７】
なお、上述した各実施の形態では、背板１５を構成する上半部板２２と下半部板２１とを、連続する一枚の板材２４を２分割し、再びフィンガージョイントにて連結した構成とした例について述べたが、異なる板目や、異なる色合いで上半部板２２と下半部板２１とを構成し背板１５とすることとしてもよく、背面から見た際の印象を変えることが可能となる。
【符号の説明】
【００３８】
１…長椅子
５…座部
１０…背もたれ
１２…座面
１３…後端縁
１４…水平部
１５…背板
１５ａ…中途部
１７…笠木部材
２１…下半部板
２２…上半部板
２３…連結部分
２４…板材
２５…フィンガージョイント部
２６，２７…分割端面
２９…蟻ほぞ
３１…蟻溝
３２…背貫部材
３４…後面板
【図１】
0005390664.tif 000002
【図２】
0005390664.tif 000003
【図３】
0005390664.tif 000004
【図４】
0005390664.tif 000005
【図５】
0005390664.tif 000006
【図６】
0005390664.tif 000007
【図７】
0005390664.tif 000008
【図８】
0005390664.tif 000009
【図９】
0005390664.tif 000010
【図１０】
0005390664.tif 000011